(57)【特許請求の範囲】
【請求項１】
商品毎に価格を入力する入力装置において、
前記商品毎に予め設定された価格帯の範囲内で価格を表示して入力を受け付ける第１の入力手段と、
前記第１の入力手段にて入力ができない前記価格帯以外の場合に、前記第１の入力手段と同一画面上に前記価格帯の範囲外で価格を表示して入力を受け付ける第２の入力手段とを備えることを特徴とする入力装置。
【請求項２】
請求項１に記載の入力装置において、
前記第１の入力手段に隣接し、当該第１の入力手段にて入力される第１入力価格の商品の定価及び／又は原価に対する当該第１入力価格の割合を図表として表示する第１の表示手段を備えることを特徴とする入力装置。
【請求項３】
請求項１または２に記載の入力装置において、
前記第２の入力手段に隣接し、当該第２の入力手段にて入力される第２入力価格の商品の原価及び／又は当該商品における価格帯の最低価格に対する当該第２入力価格の割合を図表として表示する第２の表示手段を備えることを特徴とする入力装置。
【請求項４】
請求項２または３に記載の入力装置において、
前記割合を示す第１及び／又は第２の表示手段に図表として表示される割合を可変調整して価格の入力を行うことを特徴とする入力装置。
【請求項５】
請求項４に記載の入力装置において、
前記割合を示す第１及び／又は第２の表示手段にスライダーバーが備えられており、
当該スライダーバーによる割合の可変調整を所定のステップ数で段階的に行うことを特徴とする入力装置。
【請求項６】
請求項５に記載の入力装置において、
複数のスライダーバーによる割合の可変調整を各商品ごとに一括で行うためのマスタ調整手段を備え、
前記マスタ調整手段による可変調整に応じて、当該マスタ調整手段に関連付けられた各商品のスライダーバーで割合を調整して価格の入力が行われることを特徴とする入力装置。
【請求項７】
商品毎に入力された価格を入力情報として受信し、当該受信した入力情報を商品の価格として設定するようにコンピュータを実行させるための入力プログラムにおいて、
前記商品毎に予め設定された価格帯の範囲内で価格を表示して入力された入力情報を受け付ける第１の入力手順と、
前記第１の入力手順にて入力される第１入力価格の商品の定価及び／又は原価に対する当該第１入力価格の割合を図表として表示し、当該図表として表示された割合を可変調整して価格を決定する第１の価格決定手順と、
前記第１の入力手順にて入力ができない場合に、前記第１の入力手順にて入力された入力領域と同一画面上に前記価格帯の範囲外で価格を表示して入力された入力情報を受け付ける第２の入力手順とをコンピュータに実行させるための入力プログラム。
【請求項８】
請求項７に記載の入力プログラムにおいて、
第２の入力手順にて入力される第２入力価格の商品の原価及び／又は当該商品における価格帯の最低価格に対する当該第２入力価格の割合を図表として表示し、当該図表として表示された割合を可変調整して価格を決定する第２の価格決定手順をコンピュータに実行させるための入力プログラム。
【発明の詳細な説明】
【技術分野】
【０００１】
本発明は、価格を入力する入力装置に関し、特に、入力ミスを抑制するように入力操作を行う入力装置等に関する。
【背景技術】
【０００２】
スーパー等で特売日に、個別の商品に対して特売価格を設定する場合がある。その際ＰＯＳシステム（Point  Of  Salesシステム）の画面から商品ごとに当日の特売価格を入力する。通常ＰＯＳシステムでは商品の価格帯が設定されており、その価格帯からはずれた価格を入力するとアラーム表示を行って入力ミスを喚起する場合が多い。しかし、特別な商品に関しては、特売日に限って設定された価格帯以下で価格を設定する場合がある。その場合には、アラーム表示が出ても敢えて無視して入力を行う。アラーム表示を無視して入力を行う場合に、もし桁違い等の入力ミスがあってもアラーム表示が無視されることで、桁違いのミスに気付かない可能性がある。
【０００３】
具体的には、例えば、定価１００円の商品Ａに対して８０円〜１００円の価格帯が設定されているとすると、特売日に７０円で販売したい場合に、「７０」を入力する。この時、「７０」は価格帯の範囲外であるためアラーム表示が出るが、敢えて無視して入力を行う。もし入力ミスにより「７」を入力した場合でも、「７０」の場合と同じアラームが表示され、その場合にも敢えて無視して入力を行ってしまうと、桁違いにより極端に低い価格に設定されてしまう可能性がある。従って、設定された価格帯からはずれた価格をミスがないように入力する技術が望まれている。
【０００４】
正確かつ素早く数値を指定して入力を行う技術として、特許文献１に示す技術がある。特許文献１の技術は、スケールバーによるスライダの上限値及び下限値がディスプレイに表示された状態でその上限値、下限値の間で任意の数値をマウス等のデバイスにより指定する数値入力方法において、予め設定された上限値及び下限値がディスプレイに表示されている状態で、指定デバイスによる所定の操作があった場合、上限値及び下限値を他の値に変更し、その変更した後の上限値、下限値間でスライダを移動して任意の数値を指定デバイスにより指定する方法である。
【特許文献１】特開平１１−３４５０５６号公報
【発明の開示】
【発明が解決しようとする課題】
【０００５】
しかしながら、特許文献１に示す技術は、上限値と下限値を他の値に変更することで、スライダの移動変化量に対する値の変化量が変更されて、様々な範囲で数値を入力することが可能であるが、スライダの移動量が設定された範囲ごとに変化するため、操作者の操作が一様に定まらず、操作に時間が掛かってしまうという課題を有する。特に、入力項目が多数ある場合には、項目ごとに範囲が変更されると、効率的な入力操作を行うことができない。
【０００６】
また、上限値と下限値が変更されることで、入力した数値の割合を視覚的に把握することが困難になってしまうという課題を有する。
そこで、本発明は前記課題を解決するためになされたものであり、数値入力を効率的で且つ正確に行うことができ、入力した数値の割合を視覚的に判断することができる入力装置、及び、入力プログラムを提供することを目的とする。
【課題を解決するための手段】
【０００７】
（１．第１の入力手段と第２の入力手段）
本発明に係る入力装置は、商品毎に価格を入力する入力装置において、前記商品毎に予め設定された価格帯の範囲内で価格を表示して入力を受け付ける第１の入力手段と、前記第１の入力手段にて入力ができない前記価格帯以外の場合に、前記第１の入力手段と同一画面上に前記価格帯の範囲外で価格を表示して入力を受け付ける第２の入力手段とを備えるものである。
【０００８】
このように、本発明においては、商品毎に予め設定された価格帯の範囲内で価格を表示して入力を受け付ける第１の入力手段と、第１の入力手段にて入力ができない場合に、第１の入力手段と同一画面上に価格帯の範囲外で価格を表示して入力を受け付ける第２の入力手段とを備えるため、特別なアラーム処理等を行わなくても価格の入力を価格帯の範囲内に制限することができると共に、価格帯の範囲を超えて入力を行う場合は、別の入力手段にて価格の入力を行うことができるため、処理を効率的で正確に行うことができるという効果を奏する。
【０００９】
また、価格帯の範囲外の入力を行う場合は、第１の入力手段から第２の入力手段に移行する動作が入ることで、注意が喚起され、第２の入力手段での入力ミスを減少させる効果を奏する。
【００１０】
（２．第１の表示手段）
本発明に係る入力装置は、前記第１の入力手段に隣接し、当該第１の入力手段にて入力される第１入力価格の商品の定価及び／又は原価に対する当該第１入力価格の割合を図表として表示する第１の表示手段を備えるものである。
【００１１】
このように、本発明においては、第１の入力手段に隣接し、第１の入力手段にて入力される第１入力価格の商品の定価及び／又は原価に対する第１入力価格の割合を図表として表示する第１の表示手段を備えるため、第１の入力手段にて入力された価格が定価及び／又は原価に対してどれくらいの割合であるかを視覚的に確認することができ、操作者が一見して割引率を把握することができるという効果を奏する。
【００１２】
（３．第２の表示手段）
本発明に係る入力装置は、前記第２の入力手段に隣接し、当該第２の入力手段にて入力される第２入力価格の商品の原価及び／又は当該商品における価格帯の最低価格に対する当該第２入力価格の割合を図表として表示する第２の表示手段を備えるものである。
【００１３】
このように、本発明においては、第２の入力手段に隣接し、第２の入力手段にて入力される第２入力価格の商品の原価及び／又は商品における価格帯の最低価格に対する第２入力価格の割合を図表として表示する第２の表示手段を備えるため、第２の入力手段にて入力された価格が原価及び／又は商品における価格帯の最低価格に対してどれくらいの割合であるかを視覚的に確認することができ、操作者が一見して割引率を把握することができるという効果を奏する。
また、操作者が視覚的に割引率を把握することができることで、桁間違い等による極端な入力ミスを確実に防止することができるという効果を奏する。
【００１４】
（４．割合の可変調整）
本発明に係る入力装置は、前記割合を示す第１及び／又は第２の表示手段に図表として表示される割合を可変調整して価格の入力を行うものである。
このように、本発明においては、第１及び／又は第２の表示手段に表示される割合を可変調整して価格の入力を行うため、割合に応じて視覚的に価格の入力を行うことができ、作業の効率を上げることができるという効果を奏する。
【００１５】
（５．スライダーバーによる割合の可変調整）
本発明に係る入力装置は、前記割合を示す第１及び／又は第２の表示手段にスライダーバーが備えられており、当該スライダーバーによる割合の可変調整を所定のステップ数で段階的に行うものである。
このように、本発明においては、スライダーバーによる割合の可変調整を所定のステップ数で段階的に行うため、視覚的に価格の入力を行うことができると共に、操作性が向上させ、処理効率を上げることができるという効果を奏する。
【００１６】
（６．一括での割合の可変調整）
本発明に係る入力装置は、複数のスライダーバーによる割合の可変調整を各商品ごとに一括で行うためのマスタ調整手段を備え、前記マスタ調整手段による可変調整に応じて、当該マスタ調整手段に関連付けられた各商品のスライダーバーで割合を調整して価格の入力が行われるものである。
このように、本発明においては、複数のスライダーバーによる割合の可変調整を一括で行うためのマスタ調整手段を備え、マスタ調整手段による可変調整に応じて、マスタ調整手段に関連付けられたスライダーバーが割合を調整して価格の入力を行うため、複数の商品に対する価格の入力を一括で行うことができ、作業効率を格段に上げることができるという効果を奏する。
【００１７】
これまで、本発明を装置として示したが、所謂当業者であれば明らかであるように本発明を方法、及び、プログラムとして捉えることもできる。これら前記の発明の概要は、本発明に必須となる特徴を列挙したものではなく、これら複数の特徴のサブコンビネーションも発明となり得る。
【発明を実施するための最良の形態】
【００１８】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００１９】
本実施の形態では、主に装置について説明するが、所謂当業者であれば明らかな通り、本発明はシステム、方法、及び、コンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００２０】
（本発明の第１の実施形態）
（１．構成と機能）
（１−１  入力装置のハードウェア構成）
図１は、本実施形態に係る入力装置のハードウェアの構成図である。入力装置１は、ＣＰＵ(Central  Processing  Unit)１０１、ＲＡＭ(Random  Access  Memory)１０２、ＲＯＭ(Read  Only  Memory)１０３、フラッシュメモリ(Flash  memory)１０４、外部記憶装置であるＨＤ(Hard  disk)１０５、ＬＡＮ(Local  Area  Network)カード１０６、マウス１０７、キーボード１０８、ビデオカード１０９、このビデオカード１０９と電気的に接続する表示装置であるディスプレイ１０９ａ、サウンドカード１１０、このサウンドカード１１０と電気的に接続する音出力装置であるスピーカ１１０ａ及びフレキシブルディスク、ＣＤ−ＲＯＭ、ＤＶＤ−ＲＯＭ等の記憶媒体を読み書きするドライブ１１１からなる。
なお、上記ハードウェア構成はあくまで一例を示したものであり、構成要素の変更をすることができるのは当然である。
【００２１】
（１−２  入力装置のモジュール構成と機能）
図２は、本実施形態に係る入力装置のモジュール構成図である。入力装置１は、第１の入力手段としての一般価格設定処理部２１０と、割引率算出処理部２２０と、第２の入力手段としての特別価格設定処理部２３０と、第１の表示手段及び第２の表示手段に表示する表示情報を制御する表示制御部２４０とを備える。
【００２２】
一般価格設定処理部２１０は、予め設定された価格帯の範囲内で価格の設定をする処理を行う。
特別価格設定処理部２３０は、予め設定された価格帯の範囲外で価格の設定をする処理を行う。予め設定された価格帯とは、下限値が商品の販売利益が出る最小限の価格で、上限値が定価である範囲の価格帯である。
【００２３】
なお、価格帯は操作者が任意に設定できる範囲であり、上限値と下限値は上記設定に限定されない。例えば、商品を販売する店によっては下限値を原価としてもよいし、任意の値に設定してもよい。
また、上限値と下限値を割合で設定するようにしてもよい。例えば、下限値を定価の３割引の値というような設定にしてもよい。
【００２４】
割引加減演算処理部２２０は、一般価格設定処理部２１０及び特別価格設定処理部２３０で設定された価格が、その基準となる価格からどれくらい割引されたかを演算する処理を行う。基準となる価格とは、予め設定された価格帯の上限値であり、前述の通り操作者が任意に設定することができる。
【００２５】
表示制御部２４０は、一般価格設定処理部２１０及び特別価格設定処理部２３０が設定した価格並びに割引加減演算処理部２２０が算出した割引加減の情報を表示手段２０２に表示制御する処理を行う。
なお、割引加減演算処理部２２０は必須の構成要素ではなく、構成要素から省いてもよい。
【００２６】
（２．動作）
図３は、本実施形態に係る入力装置の動作を示すフローチャートである。まず、一般価格設定処理部２１０が第１の入力部からの一般価格の入力を受け付け、表示する（ステップＳ３０１）。一般価格とは、予め設定された価格帯の範囲内の価格のことである。表示された一般価格の定価（または、価格帯の上限値）に対する割引加減を割引加減演算処理部２２０が算出し、その割引加減を図表として表示する（ステップＳ３０２）。図表による表示は、グラフや表による表示であり、視覚的に割引加減が一見して確認できるように表示する。入力する価格が価格帯の範囲内かどうかを判定し（ステップＳ３０３）、価格帯の範囲内であればそのまま価格を決定して（ステップＳ３０８）処理を終了する。入力する価格が価格帯の範囲外であれば表示領域を第２の入力部に変更する（ステップＳ３０４）。特別価格設定処理部２３０が第２の入力部からの特別価格の入力を受け付け、表示する（ステップＳ３０５）。特別価格とは、予め設定された価格帯の範囲外の価格のことである。表示された特別価格の原価（または、価格帯の下限値）に対する割引加減を割引加減演算処理部２２０が算出し、その割引加減を図表として表示する（ステップＳ３０６）。表示された特別価格で決定するかどうかを判定し（ステップＳ３０７）、決定しない場合は、ステップＳ３０５に戻って再び特別価格の入力を行う。決定する場合は、価格を決定し（ステップＳ３０８）、処理を終了する。
【００２７】
なお、ステップＳ３０２及びステップＳ３０６の割引加減を算出して表示する処理は必須の処理ではなく、省略するようにしてもよい。
また、ステップＳ３０２の処理のみを行ってステップＳ３０６の処理を省略してもよいし、ステップＳ３０６の処理のみを行ってステップＳ３０２の処理を省略してもよいし、双方の処理を行うようにしてもよい。
【００２８】
さらに、価格の入力方法は、キーボードにより値を直接入力してもよいし、マウスによりスライダーバーをスライドさせたり、プルダウンメニューから価格を選択して入力するようにしてもよい。特にスライダーバーの場合は、割引加減を可変調整して価格を入力することができるため、効率的に作業を行うことができる。
【００２９】
ここで、上記入力装置の動作をさらに具体的に説明する。図４は、本実施形態に係る入力装置の動作を具体的に示した図である。図４（ａ）は、割引加減を図表として表示しない場合であり、図４（ｂ）は、一般価格のみ割引加減を図表として表示した場合であり、図４（ｃ）は、一般価格及び特別価格について割引加減を図表として表示した場合を示す。ここでは、白菜とキャベツの値段を設定したとする。白菜の価格帯を５０円〜１００円（定価１００円）に設定し、キャベツの価格帯を７０円〜１２０円（定価１２０円）に設定してそれぞれの販売価格の決定を行う。仮に特売日ということで、白菜を４８円、キャベツを７５円に設定する。
【００３０】
図４（ａ）の場合、第１の入力部４１０に入力できる価格は白菜の場合５０円〜１５０円であるため、それ以下の４８円を入力する際には、第２の入力部４１１に入力領域を変更する必要がある。この第２の入力部４１１に入力領域を変更するという１つの動作が入ることで、第２の入力部４１１に入力する際に注意が喚起され、入力ミスを防止する効果を奏する。キャベツの場合には、７５円が価格帯の範囲内であるため、第１の入力部４１２に入力することができ、入力領域を変更する必要はない。また、第１の入力部４１２には価格帯の範囲内の値しか入力できないようにすることで、桁違い等の大きな入力ミスを防止することができる。
【００３１】
図４（ｂ）の場合、第１の入力部４２０、４２２がスライダーバーにより入力する構成となっており、マウスでの入力が可能となっている。図４（ａ）の場合と同様に第１の入力部４２０には５０円〜１５０円の範囲の価格を入力することができ、第１の入力部４２２には７０円〜１２０円の範囲の価格を入力することができる。白菜の場合、４８円を入力する際には、まず、第１の入力部４２０のスライダーバーを最低価格（右端位置）に移動させる。そうすることで、第２の入力部４２１がアクティブとなりカーソルが移動する。第２の入力部４２１では、キーボードにより４８円の入力を行うことができる。ここでも、入力領域を変更する際にスライダーバーを移動させるという１つの動作が入ることで、第２の入力部４２１に入力する際に注意が喚起され、入力ミスを防止する効果を奏する。キャベツの場合には、７５円が価格帯の範囲内であるため、第１の入力部４２２に入力することができ、入力領域を変更する必要はない。また、価格帯の上限値に対する入力した価格の割合を視覚的に確認しながら入力することができるため、入力動作を効率的に行うことができる。
【００３２】
図４（ｃ）の場合、全ての入力部４３０、４３１、４３２、４３３がスライダーバーにより入力する構成となっている。図４（ｂ）の場合と同様に第１の入力部４３０には５０円〜１５０円の範囲の価格を入力することができ、第１の入力部４３２には７０円〜１２０円の範囲の価格を入力することができる。白菜の場合、４８円を入力する際には、まず、第１の入力部４３０のスライダーバーを最低価格（右端位置）に移動させる。そうすることで、第２の入力部４３１のスライダーバーがアクティブとなる。そして、第２の入力部４３１でも同様に、マウスでスライダーバーを移動させて４８円の入力を行うことができる。ここでも、入力領域を変更する際にスライダーバーを移動させるという１つの動作が入ることで、第２の入力部４３１に入力する際に注意が喚起され、入力ミスを防止する効果を奏する。キャベツの場合には、７５円が価格帯の範囲内であるため、第１の入力部４３２に入力することができ、入力領域を変更する必要はない。また、価格帯の上限値に対する入力した価格の割合を視覚的に確認しながら入力することができるため、入力動作を効率的に行うことができる。
なお、上記スライダーバーによる入力の際には、マウスでスライダーバーを移動させて入力を行うようにしたが、キーボードにより数値入力を行うようにしてもよい。
【００３３】
上記図４（ｂ）、図４（ｃ）におけるスライダーバーによる価格の入力は１円単位で行うようにしてもよいし、所定の割合または所定の金額で行うようにしてもよい。例えば、予めステップ数を５と設定し、ステップごとに割引加減を増やしていく。定価２９８円の場合、２７８円（ステップ１）→２６８円（ステップ２）→２５０円（ステップ３）→１９８円（ステップ４）→１４７円（ステップ５＝下限値）のようにスライダーバーを移動させる。１円単位の設定を行いたい場合は、キーボードにより価格を入力し、その価格に応じた位置にスライダーバーを移動させる。
なお、上記のように所定のステップが予め設定されている場合においては、スライダーバーを使用せずに、プルダウンメニューにより価格を選択するようにしてもよい。
【００３４】
このように、実施形態に係る入力装置によれば、商品毎に予め設定された価格帯の範囲内で価格を表示して入力を受け付ける第１の入力手段と、第１の入力手段にて入力ができない場合に、第１の入力手段と同一画面上に価格帯の範囲外で価格を表示して入力を受け付ける第２の入力手段とを備えるため、特別なアラーム処理等を行わなくても価格の入力を価格帯の範囲内に制限することができると共に、価格帯の範囲を超えて入力を行う場合は、別の入力手段にて価格の入力を行うことができる。
【００３５】
また、価格帯の範囲外の入力を行う場合は、第１の入力手段から第２の入力手段に移行する動作が入ることで、注意が喚起され、第２の入力手段での入力ミスを減少させる
さらに、入力された価格が価格帯の上限値または下限値に対してどれくらいの割合であるかを視覚的に確認することができ、操作者が一見して割引率を把握することができる。
【００３６】
さらにまた、操作者が視覚的に割引率を把握することができることで、桁間違い等による極端な入力ミスを確実に防止することができる。
さらにまた、割合を可変調整して価格の入力を行うため、割合に応じて視覚的に価格の入力を行うことができ、作業の効率を上げることができる。
さらにまた、スライダーバーによる割合の可変調整を所定のステップ数で段階的に行うため、視覚的に価格の入力を行うことができると共に、操作性が向上し、処理効率を上げることができる。
【００３７】
（その他の実施形態）
（１．一括入力）
本発明に係る入力装置は、価格の入力を一括で行うことができる。図５は、価格の入力を一括で行う様子を示す図である。操作者は、一括で入力を行う商品を一覧の中から選択し、選択領域５１０のチェックを入れる。ここでは、レタスとトマト以外が選択されたとする。そして、マスタ入力部５００のスライダーバーを可変調整すると、それに伴って選択領域５１０でチェックした商品の価格が入力される。ここでは、マスタ入力部５００の入力値をステップ４にしている。レタスとトマト以外の商品についてもステップ４の価格で入力されて表示される。
【００３８】
なお、選択領域５１０は設けても設けなくてもよい。予め一括入力を行うグループを登録してもよいし、商品の種別ごとに一括入力できるようにしてもよい。
このように、実施形態に係る入力装置によれば、複数のスライダーバーによる割合の可変調整を一括で行うためのマスタ調整手段を備え、マスタ調整手段による可変調整に応じて、マスタ調整手段に関連付けられたスライダーバーが割合を調整して価格の入力を行うため、複数の商品に対する価格の入力を一括で行うことができ、作業効率を格段に上げることができる。
【００３９】
（２．グラフ表示）
本発明に係る入力装置は、価格の割引加減を示すために図表として表示する。図表の１つの形態が上記で説明したスライダーバーであるが、その他にグラフや色の濃淡を利用することもできる。図６は、割引加減を表示するその他の例を示した図である。図６（ａ）は入力部の下にグラフが表示されている。グラフは２つの領域に分かれており、それぞれの領域で矢印の色が異なる。左の領域には、第１の入力部に入力した価格の割引加減が示され、右の領域には、第２の入力部に入力した価格の割引加減が示される。このように、視覚的に表示されることで、操作者は一見して価格の割引加減を確認することができると共に、商品ごとに割引加減を相対的に確認することができ、割引加減の偏りや極端な割引加減が設定された商品を瞬時に認識することができる。
【００４０】
なお、このようにグラフの表示を行う場合は、スライダーバーは備える必要はなく、グラフの矢印で価格の入力が行える構成としてもよい。また、キーボードにより直接価格を入力できるようにしてもよい。
【００４１】
図６（ｂ）は、割引加減が入力部の背景に示されている。入力した価格の割合が高い程色が濃く表示されている。この場合も、視覚的に表示されることで、操作者は一見して価格の割引加減がを確認することができると共に、商品ごとに割引加減を相対的に確認することができ、割引加減の偏りや極端な割引加減が設定された商品を瞬時に認識することができる。
【００４２】
なお、この場合も、スライダーバーは備える必要はなく、背景の色の境目を変更させて価格の入力が行える構成としてもよい。また、キーボードにより直接価格を入力できるようにしてもよい。
また、図表ではなく、数値で割合を表示するようにしてもよい。
【００４３】
（３．レイアウト表示）
割引加減を視覚的に表示させる応用の一例について説明する。図７は、割引加減を視覚的に表示させた場合の応用の一例を示す図である。図７は店全体のレイアウトを示しており、コーナーごとに色の濃淡が異なる。これは、濃淡が割引加減を示しており、色が濃いほど割引率が大きくなっている。この日は、特売品コーナーの色が最も濃いため、割引加減が大きく（例えば、割引率４割）、野菜と飲料はその次に割引加減が大きく（例えば、割引率３割）、肉と魚は割引加減が小さい（例えば、割引率０．５割）。惣菜は時間帯により割引加減が異なる。弊店間際になると賞味期限の関係から半額での販売もあるため時間帯に応じて濃淡が変化する。お菓子、調味料、及び、加工品は割引がなく定価での販売である。
【００４４】
店側は、このレイアウト図から翌日は何を安売りするかを決めたり、お客の流れと割引加減を連動させたりして店の売り上げの増加に貢献できるツールとして利用することができる。一方お客側にもこのレイアウト図を示すことで、どの部分が割引加減が大きいかを確認しながらその日に買う商品を選別することができる。
【００４５】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【図面の簡単な説明】
【００４６】
【図１】第１の実施形態に係る入力装置のハードウェアの構成図である。
【図２】第１の実施形態に係る入力装置のモジュール構成図である。
【図３】第１の実施形態に係る入力装置の動作を示すフローチャートである。
【図４】第１の実施形態に係る入力装置の動作を具体的に示した図である。
【図５】価格の入力を一括で行う様子を示す図である。
【図６】割引加減を表示するその他の例を示した図である。
【図７】割引加減を視覚的に表示させた場合の応用の一例を示す図である。
【符号の説明】
【００４７】
１  入力装置
１０１  ＣＰＵ
１０２  ＲＡＭ
１０３  ＲＯＭ
１０４  フラッシュメモリ
１０５  ＨＤ
１０６  ＬＡＮカード
１０７  マウス
１０８  キーボード
１０９  ビデオカード
１０９ａ  ディスプレイ
１１０  サウンドカード
１１０ａ  スピーカ
１１１  ドライブ
２０１  入力データ
２０２  表示手段
２１０  一般価格設定処理部
２２０  割引加減演算処理部
２３０  特別価格設定処理部
２４０  表示制御部
５００  マスタ入力部
５１０  選択領域
【図１】
0004924383.tif 000002
【図２】
0004924383.tif 000003
【図３】
0004924383.tif 000004
【図４】
0004924383.tif 000005
【図５】
0004924383.tif 000006
【図６】
0004924383.tif 000007
【図７】
0004924383.tif 000008